(57)【要約】【課題】サーバの負担軽減をはかり、投票集計処理時間の短縮をはかる。【解決手段】ＩＰアドレス通知手段として、例えば、ＩＰネットワーク４に接続されたＤＮＳシステム５により、ＵＲＬと宛先ＩＰアドレスの１対１の変換を行う。ＩＰパケット計測手段は、投票用端末２１のあるＩＰネットワーク４に接続され、宛先ＩＰアドレスに到着するＩＰパケットを計測している。従って、唯一のＵＲＬに対応した宛先ＩＰパケットをカウントすることが可能となり、このことにより、多数のＩＰ端末からの投票要求を、ＷＷＷサーバを用いずに投票数のカウントを行うことができる。【選択図】      図１
2005018608.tif 000002
【特許請求の範囲】
【請求項１】
クライアント端末とはＩＰネットワークを介して接続される投票システムであって、
投票用選択情報毎に定義されたＵＲＬに基づく投票用端末の接続を検知するネットワーク接続検知手段と、
前記ＵＲＬに対応して割り付けられるユニークなＩＰアドレスを、前記接続を行った投票用端末へ通知するＩＰアドレス通知手段と、
前記ＩＰアドレスに対して前記投票用端末から送出されるＩＰパケットを計測し、投票数としてカウントするＩＰパケット計測手段と、
前記投票されたカウントデータを所定のフォーマットに変換して前記クライアント端末へ伝達するカウントデータ加工手段と、
を備えたことを特徴とする投票システム。
【請求項２】
クライアント端末とはＩＰネットワークを介して接続される投票システムであって、
投票用選択情報毎に定義される電話番号に基づく投票用電話端末の接続を検知するネットワーク接続検知手段と、
前記電話番号に対応して割り付けられるユニークなＩＰアドレスを調べ、通知される当該ＩＰアドレスに対してＩＰパケットを送出するＩＰパケット送出手段と、
前記ＩＰアドレスに対して前記ＩＰパケット送信手段により送出される前記ＩＰパケットを計測し、投票数としてカウントするＩＰパケット計測手段と、
前記投票されたカウントデータを所定のフォーマットに変換して前記クライアント端末へ伝達するカウントデータ加工手段と、
を備えたことを特徴とする投票システム。
【請求項３】
クライアント端末とはＩＰネットワークを介して接続される投票システムであって、
投票用選択情報毎に定義される電話番号に基づく投票用電話端末の接続を検知するネットワーク接続検知手段と、
前記電話番号に対応したアクセス数のカウントを行い、投票を受付けてガイダンスを送出するガイダンス送出装置のＩＰアドレスの通知を行うＩＰアドレス通知手段と、
前記通知されたガイダンス送出装置のＩＰアドレスに対して接続を行い、当該接続されたことを投票数としてカウントする投票数カウント手段と、
前記投票されたカウントデータを所定のフォーマットに変換して前記クライアント端末へ伝達するカウントデータ加工手段と、
を備えたことを特徴とする投票システム。
【請求項４】
前記ＩＰアドレスに対して接続が行われたことを投票としてカウントする際に、そのＩＰアドレスへ接続を行なった前記投票用端末が重複して接続したことを検出した場合、当該ＩＰアドレスへの接続を投票としてカウントしない投票数カウント制御手段、
を備えたことを特徴とする請求項１に記載の投票システム。
【請求項５】
前記ＩＰアドレスに対して接続が行われたことを投票としてカウントする際に、そのＩＰアドレスに対応する電話番号へ接続を行なった前記投票用電話端末が重複して接続したことを検出した場合、当該ＩＰアドレスへの接続を投票としてカウントしない投票数カウント制御手段、
を備えたことを特徴とする請求項２に記載の投票システム。
【請求項６】
不特定多数の意識調査を行う、ＩＰネットワークを利用した投票方法であって、
投票用選択情報毎に定義されたＵＲＬに基づく投票用端末の接続を検知する工程と、
前記ＵＲＬに対応して割り付けられるユニークなＩＰアドレスを、前記接続を行った投票用端末へ通知する工程と、
前記ＩＰアドレスに対して前記投票用端末から送出されるＩＰパケットを計測し、投票数としてカウントする工程と、
前記投票されたカウントデータを所定のフォーマットに変換して前記クライアント端末へ伝達する工程と、
を備えたことを特徴とする投票方法。
【発明の詳細な説明】
【０００１】
【発明の属する技術分野】
本発明は、主に、マスメディアによる一般大衆の意識調査に用いて好適な、投票システムおよび投票方法に関する。
【０００２】
【従来の技術】
ＩＰ（Ｉｎｔｅｒｎｅｔ  Ｐｒｏｔｏｃｏｌ）ネットワークを用いた従来の投票システムの例を図６に、電話ネットワークを用いた従来の投票システムの例を図７に示す。
図６に示す例は、ＩＰネットワーク４に接続された投票用Ｗｅｂ端末１６１からの投票を集計するために、ＩＰネットワーク上で投票受付ＷＷＷ（Ｗｏｒｌｄ  Ｗｉｄｅ
Ｗｅｂ）サーバ１７１によって集計する方法である。
【０００３】
一方、図７に示されるように、電話投票サービスは一般加入電話を投票用電話端末８１として利用する。具体的には、電話ネットワーク１３内でダイヤルされた仮想投票受付電話端末９１の電話番号に対応した呼数を大量呼受付制御装置１８１によってカウントし、カウンタテーブル１８２で保持し、一定周期でカウントデータ加工装置７へ転送することで実現されている。
【０００４】
【発明が課題しようとする課題】
前者の場合、投票受付ＷＷＷサーバ１７１の処理能力に限界があるため、集計に遅延が生じる可能性がある。また、集計に遅延を生じさせないために複数の投票受付ＷＷＷサーバ１７１によって負荷分散を行う方式を採った場合、膨大な数のＷＷＷサーバが必要となり、サービスとしての提供は不可能である。
さらに、図８に、ＩＰパケットの生成と分離について示すように、投票内容を示す業務電文２０４は、データ送信側２２の処理を経てＩＰネットワーク４へ送出され、データ受信側２３においてデータ送信側処理と逆の手順で業務電文２０４を取出し解析した後、投票内容としてカウントするため、１つの投票当りの処理オーバヘットが大きい。
【０００５】
一方、後者の場合、一般電話端末が利用端末と想定して作られており、従って、一般電話端末以外のＩＰネットワークに接続された端末（以降ＩＰ端末という）からの投票をカウントすることはできない。
【０００６】
本発明は上記事情に鑑みてなされたものであり、カウント対象をＩＰアドレスに対応させることにより、多数のＩＰ端末からの投票要求をプロトコル処理ステップとアプリケーション処理が多いＷＷＷサーバを用いて受付処理をすることによって処理遅延を招いていた従来の課題を解決した投票システムおよび投票方法を提供することを目的とする。
【０００７】
【課題を解決するための手段】
上記した課題を解決するために本発明は、クライアント端末とはＩＰネットワークを介して接続される投票システムであって、投票用選択情報毎に定義されたＵＲＬに基づく投票用端末の接続を検知するネットワーク接続検知手段と、前記ＵＲＬに対応して割り付けられるユニークなＩＰアドレスを、前記接続を行った投票用端末へ通知するＩＰアドレス通知手段と、前記ＩＰアドレスに対して前記投票用端末から送出されるＩＰパケットを計測し、投票数としてカウントするＩＰパケット計測手段と、前記投票されたカウントデータを所定のフォーマットに変換して前記クライアント端末へ伝達するカウントデータ加工手段と、を備えたことを特徴とする。
【０００８】
本発明によれば、ＩＰアドレス通知手段として、例えば、ＩＰネットワークに接続されたＤＮＳ（Ｄｏｍａｉｎ  Ｎａｍｅ  Ｓｅｒｖｅｒ）システムにより、ＵＲＬ（Ｕｎｉｆｏｒｍ  Ｒｅｓｏｕｒｃｅ  Ｌｏｃａｔｅｒ）と宛先ＩＰアドレスの１対１の変換を行っている。ＩＰパケット計測手段は、投票用端末のあるＩＰネットワークに接続され、宛先ＩＰアドレスに到着するＩＰパケットを計測している。従って、唯一のＵＲＬに対応した宛先ＩＰパケットをカウントすることが可能となり、このことにより、多数のＩＰ端末からの投票要求を、ＷＷＷサーバを用いずに投票数のカウントを行うことが可能となる。
【０００９】
本発明は、投票のためのカウント対象をＩＰアドレスに対応させたことを主要な特徴とする。従来のＷＷＷサーバによるアプリケーション層での集計処理によるものと異なり、カウント処理するレイヤがインターネット層（ネットワーク層）であることから、プロトコル処理ステップ数が大幅に軽減される。
なお、ここで、「ＩＰ（Ｉｎｔｅｒｎｅｔ  Ｐｒｏｔｏｃｏｌ）」とは、インターネットを構成するレイヤ３プロトコル（ネットワーク層）であって、パケット交換によりデータを転送するＴＣＰ／ＩＰの基本となるプロトコルであり、「ＵＲＬ（Ｕｎｉｆｏｒｍ  Ｒｅｓｏｕｒｃｅ  Ｌｏｃａｔｅｒ）」とは、インターネット上に存在する情報にアクセスする手順と所在を記述する規格であって、使用するプロトコル、サーバの所在を示す。
【００１０】
上記した課題を解決するために本発明は、クライアント端末とはＩＰネットワークを介して接続される投票システムであって、投票用選択情報毎に定義される電話番号に基づく投票用電話端末の接続を検知するネットワーク接続検知手段と、前記電話番号に対応して割り付けられるユニークなＩＰアドレスを調べ、通知される当該ＩＰアドレスに対してＩＰパケットを送出するＩＰパケット送出手段と、前記ＩＰアドレスに対して前記ＩＰパケット送信手段により送出される前記ＩＰパケットを計測し、投票数としてカウントするＩＰパケット計測手段と、前記投票されたカウントデータを所定のフォーマットに変換して前記クライアント端末へ伝達するカウントデータ加工手段と、を備えたことを特徴とする。
【００１１】
上記した課題を解決するために本発明は、クライアント端末とはＩＰネットワークを介して接続される投票システムであって、投票用選択情報毎に定義される電話番号に基づく投票用電話端末の接続を検知するネットワーク接続検知手段と、前記電話番号に対応したアクセス数のカウントを行い、投票を受付けてガイダンスを送出するガイダンス送出装置のＩＰアドレスの通知を行うＩＰアドレス通知手段と、前記通知されたガイダンス送出装置のＩＰアドレスに対して接続を行い、当該接続されたことを投票数としてカウントする投票数カウント手段と、前記投票されたカウントデータを所定のフォーマットに変換して前記クライアント端末へ伝達するカウントデータ加工手段と、を備えたことを特徴とする。
【００１２】
また、本発明において、前記ＩＰアドレスに対して接続が行われたことを投票としてカウントする際に、そのＩＰアドレスへ接続を行なった前記投票用端末が重複して接続したことを検出した場合、当該ＩＰアドレスへの接続を投票としてカウントしない投票数カウント制御手段を備えたことを特徴とする。
【００１３】
また、本発明において、前記ＩＰアドレスに対して接続が行われたことを投票としてカウントする際に、そのＩＰアドレスに対応する電話番号へ接続を行なった前記投票用電話端末が重複して接続したことを検出した場合、当該ＩＰアドレスへの接続を投票としてカウントしない投票数カウント制御手段を備えたことを特徴とする。
【００１４】
上記した課題を解決するために本発明は、不特定多数の意識調査を行う、ＩＰネットワークを利用した投票方法であって、投票用選択情報毎に定義されたＵＲＬに基づく投票用端末の接続を検知する工程と、前記ＵＲＬに対応して割り付けられるユニークなＩＰアドレスを、前記接続を行った投票用端末へ通知する工程と、前記ＩＰアドレスに対して前記投票用端末から送出されるＩＰパケットを計測し、投票数としてカウントする工程と、前記投票されたカウントデータを所定のフォーマットに変換して前記クライアント端末へ伝達する工程と、を備えたことを特徴とする。
【００１５】
【発明の実施の形態】
図１は、本発明における投票システムの第１の実施形態を示すブロック図である。図１において、１はマスメディア、２は投票用端末、３は投票受付センタ、５はＤＮＳ（Ｄｏｍａｉｎ  Ｎａｍｅ  Ｓｅｒｖｅｒ）システムであり、いずれもＩＰネットワーク４を介して接続されている。
マスメディア１は、クライアント端末１１の他に、放送メディア、雑誌、あるいは新聞等の伝達手段１２によって、不特定多数２の一般大衆に対して意識調査を行う際に、予め一般大衆が選択する投票用選択情報とＵＲＬ（Ｕｎｉｆｏｒｍ  Ｒｅｓｏｕｒｃｅ  Ｌｏｃａｔｅｒ）とが１対１に対応した選択情報の提示１７を行っておく（ＵＲＬ１はＩＰアドレス１、ＵＲＬ２はＩＰアドレス２…ＵＲＬｍはＩＰアドレスｍ）。また、不特定多数の投票者は、投票用端末２１を操作することによってＩＰネットワーク４にアクセスし、ネゴシェーションによりＩＰアドレスを割付けてもらい、通信準備を完了する。
【００１６】
投票受付センタ３では実際の投票受付端末を設置する必要はなく、仮想投票受付端末３１として選択情報の提示１７の数だけ配置する。投票受付センタ３は、また、ＩＰパケット計測装置６と、カウントデータ加工装置７を備える。
ＩＰパケット計測装置６は、ＩＰアドレスに対して投票用端末２１から送出されるＩＰパケットを計測し、投票数としてカウントするＩＰパケット計測手段として機能し、カウンタデータ加工装置７は、投票されたカウントデータをマスメディア１が要求するフォーマット（所定のフォーマット）に変換してクライアント端末１１へ伝達するカウントデータ加工手段として機能する。
【００１７】
図２、図３は、それぞれ、ＩＰｖ４（Ｉｎｔｅｒｎｅｔ  Ｐｒｏｔｏｃｏｌ  Ｖｅｒｓｉｏｎ４）、ＩＰＶ６（Ｉｎｔｅｒｎｅｔ  Ｐｒｏｔｏｃｏｌ  Ｖｅｒｓｉｏｎ６）で定義されたＩＰヘッダフィールドの構造を示す。
ＩＰヘッダフィールド１９は、ＩＰｖ４では、３２ビットの送信元ＩＰアドレスと３２ビットの宛先アドレスを含み、ＩＰｖ６では、１２８ビットの送信元ＩＰアドレスと１２８ビットの宛先アドレスを含む。
本発明は、後述するように、投票のカウント対象をＩＰアドレスに対応させ、ＩＰパケットヘッダ内の宛先ＩＰアドレスを監視することによって投票カウントサービスを実現することを主旨とするものである。
【００１８】
まず、不特定多数２が投票用端末２１を操作することにより投票用選択情報に提示されたＵＲＬに対して接続すると、ＤＮＳシステム５のＤＮＳサーバ５１は、変換テーブル５２からＵＲＬに対応した宛先ＩＰアドレス１９１を検索し、投票用端末２１に宛先ＩＰアドレス１９１を通知する。ＤＮＳサーバ５１は、ＵＲＬに対応して割り付けられるユニークなＩＰアドレスを、接続を行った投票用端末２１へ通知するＩＰアドレス通知手段として機能する。
ＩＰアドレスの通知を受けた投票用端末２１は、その宛先ＩＰアドレス１９１に対してＩＰヘッダフィールド１９を持つＩＰパケットを送出する。
【００１９】
送出されたＩＰパケットは、ＩＰネットワーク４に接続された仮想投票受付端末３１に転送される。このとき、ＩＰパケット計測装置６は、選択情報の提示１７と対応した、変換テーブル５２に設定された宛先ＩＰアドレス１９１を持つＩＰパケットを計測し、宛先ＩＰアドレス対応にカウントする。
ＩＰパケット計測装置６は、カウントデータをカウンタテーブル６１に保持し、一定周期毎に計測されたカウントデータをカウントデータ加工装置７へ転送する。カウントデータ加工装置装置７はマスメディア１に置かれるクライアント端末１１に対してクライアント端末１１が要求するフォーマットでデータを加工し送出する。
【００２０】
上記構成により、図８で説明した受信側におけるＴＣＰ（Ｔｒａｎｓｍｉｓｓｉｏｎ  Ｐｒｏｔｏｃｏｌ）プロトコル、ＨＴＴＰ（Ｈｙｐｅｒ  Ｔｅｘｔ  Ｔｒａｎｓｆｅｒ  Ｐｒｏｔｏｃｏｌ）プロトコル、業務アプリケーション処理が不要となるため、サーバの負担が軽減され、かつ、処理時間の改善をはかった投票システムを提供することができる。
【００２１】
次に、同図（図１）を用いて本発明の第２の実施形態について説明する。ここでは、図１に示す第１の実施形態に、更に、以下に説明する複数投票拒否のための対応処理が含まれている。
マスメディア１は、放送メディア、雑誌、あるいは新聞等の伝達手段１２によって、不特定多数２の一般大衆に対して意識調査を行う際に、予め一般大衆が選択する情報とＵＲＬが１対１に対応した選択情報の提示１７を行っておき、かつ投票受付センタ３へは同一端末からの「複数投票拒否要求処理」を通知しておく。
投票者は、投票用端末２１によってＩＰネットワーク４にアクセスし、ネゴシェーションを行い、ＩＰアドレスを割付けてもらい、通信準備を完了する。
【００２２】
投票受付センタ３では、実際の投票受付端末を設置する必要はなく、仮想投票受付端末３１として選択情報の提示１７の数だけ配置する。
投票用端末２１が投票用選択情報に提示されたＵＲＬに対して接続すると、ＤＮＳシステム５のＤＮＳサーバ５１は、変換テーブル５２からＵＲＬに対応した宛先ＩＰアドレス１９１を検索し、投票用端末２１に宛先ＩＰアドレス１９１を通知する。次にＩＰアドレスの通知を受けた投票用端末２１は、その宛先ＩＰアドレス１９１に対してＩＰヘッダフィールド１９を持つＩＰパケットを送出する。
【００２３】
送出されたＩＰパケットは、ＩＰネットワーク４に接続された仮想投票受付端末３１に転送される。このとき、ＩＰパケット計測装置６は、投票用選択情報の提示１７と対応した、変換テーブル５２に設定された宛先ＩＰアドレス１９１を持つＩＰパケットを計測し、宛先ＩＰアドレス対応にカウントする。このとき、送信元ＩＰアドレス１９２をＩＰパケット計測装置６に接続されたカウンタテーブル６１に保持しておき、カウントする際にカウンタテーブル６１に既に送信元ＩＰアドレス１９２によるものがあるかを検索し、存在しなければカウントアップし、存在すればカウントしない。
すなわち、ＩＰパケット計測装置６は、ＩＰアドレスに対して接続が行われたことを投票としてカウントする際、そのＩＰアドレスへ接続を行なった投票用端末２１が重複して接続したことを検出した場合、当該ＩＰアドレスへの接続を投票としてカウントしない投票数カウント制御手段としても機能する。
【００２４】
また、ＩＰパケット計測装置６は、一定周期毎に計測されたカウントデータをカウントデータ加工装置７へ転送する。カウントデータ加工装置７はマスメディア１に置かれるクライアント端末１１に対してクライアント端末１１が要求するフォーマットでデータを加工し送出する。
このことにより、重複投票をチェックするために必要な受信側におけるＴＣＰプロトコル、ＨＴＴＰプロトコル、業務アプリケーション処理が不要となり、処理時間の改善がはかれる。
【００２５】
図４は、本発明における投票システムの第３の実施形態を示すブロック図である。ここでは、図１に示すＩＰ端末に代わって電話端末を用いた投票システムが示されている。
マスメディア１は、放送メディア、雑誌、あるいは新聞等の伝達手段１２によって、不特定多数８の一般大衆に対して意識調査を行う際に、予め一般大衆が選択する情報とＩＰネットワーク４によって提供されている仮想投票受付電話端末９１の電話番号が１対１に対応した選択情報の提示１７を行っておく（電話番号１はＩＰアドレス１、電話番号２はＩＰアドレス２…電話番号ｍはＩＰアドレスｍ）。
【００２６】
投票者は、投票用電話端末８１によって電話ネットワーク１３にアクセスし、仮想投票受付電話端末９１の電話番号をダイヤルする。
電話ネットワーク１３では電話番号を分析し、ＩＰネットワーク４に接続された投票用電話端末８１の電話番号があればゲートウェイ１４に対してその電話番号を転送する。ゲートウェイ１４は、ＩＰネットワーク４を介して呼制御装置１５のＧＫサーバ１５１へ電話番号を転送する。
投票受付センタ３では実際の投票受付端末を設置する必要はなく、仮想投票受付電話端末９１として選択情報の提示１７の数だけ配置する。
【００２７】
ＧＫサーバ１５１は変換テーブル１５２によって、電話番号ＩＰアドレス対応表から接続先の宛先ＩＰアドレス１９１を検索し、ゲートウェイ１４に通知する。そして、ゲートウェイ１４は、通知された宛先ＩＰアドレス１９１に対してＩＰヘッダフィールド１９を持つＩＰパケットを送出する。つまり、ゲートウェイ１４は、電話番号に対応して割り付けられるユニークなＩＰアドレスを調べ、通知される当該ＩＰアドレスに対してＩＰパケットを送出するＩＰパケット送出手段として機能する。
送出されたＩＰパケットは、ＩＰネットワーク４に接続された仮想投票受付電話端末９１に転送される。このとき、ＩＰパケット計測装置６によって、投票用選択情報の提示１７と対応した、変換テーブル１５２に設定された宛先ＩＰアドレス１９１を持つＩＰパケットを計測し、宛先ＩＰアドレス対応にカウントする。
【００２８】
ＩＰパケット計測装置６は、カウントデータをカウンタテーブル６１に保持し、一定周期毎に計測されたカウントデータをカウントデータ加工装置７へ転送する。カウントデータ加工装置７は、マスメディア１に置かれるクライアント端末１１に対してクライアント端末１１が要求するフォーマットでデータを加工し送出する。
このことにより、特定の電話ネットワークのサービスに依存することなく、投票カウントサービスの提供が可能となる。
なお、ここでは、第２の実施形態を用いて説明した複数投票拒否の機能も合わせ持ち、説明の重複を回復する意味で説明を割愛した。
【００２９】
図５は、本発明における投票システムの第４の実施形態を示すブロック図である。図４に示す第３の実施形態との差異は、ＩＰネットワークから投票受付電話端末へ接続せずに、ＩＰネットワーク内の音声ガイダンス装置へ接続し、仮想的にＩＰ接続状態とし、この仮想的にＩＰ接続されたことを投票数としてカウントすることにある。
以下に図５を用いて具体的に説明する。マスメディア１は、放送メディア、雑誌、あるいは新聞等の伝達手段１２によって、不特定多数８の一般大衆に対して意識調査を行う際に、予め一般大衆が選択する情報とＩＰネットワーク４によって提供されている仮想投票受付電話端末９１の電話番号が１対１に対応した選択情報の提示１７を行っておく（電話番号１はＩＰアドレス１、電話番号２はＩＰアドレス２…電話番号ｍはＩＰアドレスｍ）。
【００３０】
投票者は、投票用電話端末８１によって電話ネットワーク１３にアクセスし、仮想投票受付電話端末９１の電話番号をダイヤルする。
電話ネットワーク１３では電話番号を分析し、ＩＰネットワーク４に接続された電話端末の電話番号であればゲートウェイ１４へ電話番号を転送する。ゲートウェイ１４は、ＩＰネットワーク４を介して呼制御装置１５のＧＫサーバ１５１へ電話番号を転送する。
投票受付センタ３では実際の投票受付端末を設置する必要はなく、仮想投票受付電話端末９１として選択情報の提示１７の数だけ配置する。
【００３１】
ＧＫサーバ１５１は、変換テーブル１５２によって、電話番号とＩＰアドレス対応表から接続先の宛先ＩＰアドレス１９１を検索し、ＩＰパケット変換回数計数装置１５３によって電話番号に対応した変換テーブルアクセス数のカウントを行い、ゲートウェイ１４に対して、投票を受付け、ガイダンスを送出するガイダンス送出装置４１のＩＰアドレスを通知する。そして、ゲートウェイ１４は、通知されたガイダンス送出装置４１のＩＰアドレスに対して接続を行う。
すなわち、ＧＫサーバ１５１は、電話番号に対応したアクセス数のカウントを行い、投票を受付けてガイダンスを送出するガイダンス送出装置のＩＰアドレスの通知を行うＩＰアドレス通知手段として機能し、また、ゲートウェイ１４は、通知されたガイダンス送出装置のＩＰアドレスに対して接続を行う機能を実現する。
【００３２】
ＩＰパケット変換回数計数装置１５３は、一定周期毎に計測されたカウントデータをカウントデータ加工装置７へ転送する。カウントデータ加工装置７はマスメディア１に置かれるクライアント端末１１に対してクライアント端末１１が要求するフォーマットでデータを加工し送出する。
すなわち、ＩＰパケット変換回数計数装置１５３は、ＧＫサーバ１５１によって通知されたガイダンス送出装置のＩＰアドレスに対してゲートウェイ１４による接続が行われたことを投票数としてカウントする投票数カウント手段として機能する。
このことにより、特定の電話ネットワークのサービスに依存することなく、かつ、ソフトウェアとして投票数カウントが可能な、シンプルな構成の投票カウントサービスの提供が可能となる。
なお、上述の実施形態においてはマスメディア１が伝達手段１２によって、不特定多数の一般大衆に対してＵＲＬや電話番号を通知しているが、マスメディア１以外が不特定多数の一般大衆に対してＵＲＬや電話番号を通知するようにしてもよい。
【００３３】
【発明の効果】
以上説明のように本発明によれば、投票のカウント対象をＩＰアドレスに対応させ、ＩＰパケットヘッダ内の宛先ＩＰアドレスを監視することによって投票カウントサービスを実現することが可能となる。従って、ＷＷＷサーバアプリケーションの処理、およびプロトコル処理が不要となり、サーバの負担が軽減されると共に、処理時間の改善がはかれる。
また、投票受付端末の設置コストも軽減でき、さらに、同一センタ機能として投票用電話端末への転用も可能であることなどの利点がある。また、送信元ＩＰアドレスを監視することによって、複数投票を制御することも可能となり、そのためにかかるサーバの負担が一層軽減される。
【図面の簡単な説明】
【図１】本発明における投票システムの第１、第２の実施形態を示すブロック図である。
【図２】ＩＰｖ４で定義されたＩＰヘッダフィールドの構造を説明するために引用した図である。
【図３】ＩＰｖ６で定義されたＩＰヘッダフィールドの構造を説明するために引用した図である。
【図４】本発明における投票システムの第３の実施形態を示すブロック図である。
【図５】本発明における投票システムの第４の実施形態を示すブロック図である。
【図６】ＩＰ端末を利用した従来の投票システムの構成例を示すブロック図である。
【図７】一般加入電話を利用した従来の投票システムの構成例を示すブロック図である。
【図８】従来例におけるＩＰパケットの生成と分離のための手続きを説明するために引用した図である。
【符号の説明】
１…マスメディア、２（８）…不特定多数、３…投票受付センタ、４…ＩＰネットワーク、５…ＤＮＳシステム、６…ＩＰパケット計測装置、７…カウントデータ加工装置、１１…クライアント端末、１２…伝達手段、１３…電話ネットワーク、１４…ゲートウェイ、１５…呼制御装置、２１…投票用端末、３１仮想投票受付端末、４１…ガイダンス送出装置、８１…投票用電話端末、９１仮想投票受付電話端末
【図１】
2005018608.tif 000003
【図２】
2005018608.tif 000004
【図３】
2005018608.tif 000005
【図４】
2005018608.tif 000006
【図５】
2005018608.tif 000007
【図６】
2005018608.tif 000008
【図７】
2005018608.tif 000009
【図８】
2005018608.tif 000010